(57)【要約】【課題】  特定の部分が他の部分に比べて厚みのある衣服を多数掛けることができ、収納スペースを有効に活用できるハンガー掛止具を提供することを課題とする。【解決手段】  主桿５０に掛止した際にフック部材２１の両端側が主桿５０の下方側に突出するフック部材２１と、フック部材２１の一端側に設けられ且つ衣服ハンガー６が掛止される第１ハンガー掛止部材２２と、フック部材２１の他端側に設けられ且つ衣服ハンガー６が掛止される第２ハンガー掛止部材２３と、を備え、第１ハンガー掛止部材２２が、第２ハンガー掛止部材２３よりも下方位置に設けられているハンガー掛止具。【選択図】  図５
2007260376.tif 000002
【特許請求の範囲】
【請求項１】
主桿に掛止可能なフック部材であって、主桿に掛止した際にフック部材の両端側が主桿の下方側に突出するフック部材と、フック部材の一端側に設けられ且つ衣服ハンガーが掛止される第１ハンガー掛止部材と、フック部材の他端側に設けられ且つ衣服ハンガーが掛止される第２ハンガー掛止部材と、を備え、
第１ハンガー掛止部材が、第２ハンガー掛止部材よりも下方位置に設けられていることを特徴とするハンガー掛止具。
【請求項２】
フック部材を少なくとも２以上備え、第１ハンガー掛止部材及び第２ハンガー掛止部材が隣り合うフック部材に架け渡されている請求項１に記載のハンガー掛止具。
【請求項３】
請求項１又は２に記載のハンガー掛止具を少なくとも２以上備え、一方のハンガー掛止具の第１ハンガー掛止部材と他方のハンガー掛止具の第１ハンガー掛止部材とを連結する第１連結棒と、一方のハンガー掛止具の第２ハンガー掛止部材と他方のハンガー掛止具の第２ハンガー掛止部材とを連結する第２連結棒と、を備えたことを特徴とするハンガー掛止具セット。
【請求項４】
第１連結棒及び第２連結棒が、それぞれ第１ハンガー掛止部材及び第２ハンガー掛止部材に対して出退可能に構成されている請求項３に記載のハンガー掛止具セット。
【請求項５】
請求項１又は２に記載のハンガー掛止具を少なくとも２以上備え、一方のハンガー掛止具の第１ハンガー掛止部材及び第２ハンガー掛止部材から第１連結棒及び第２連結棒がそれぞれ延出され、該第１連結棒及び第２連結棒が、他方のハンガー掛止具の第１ハンガー掛止部材及び第２ハンガー掛止部材に連結されていることを特徴とするハンガー掛止具セット。
【発明の詳細な説明】
【技術分野】
【０００１】
本発明は、収納スペースを有効に利用して、衣服を多数掛けることが可能なハンガー掛止具及びハンガー掛止具セットに関する。
【背景技術】
【０００２】
従来、衣服類などを収納するものとして、洋服ダンスやクローゼットなどが知られている。かかる洋服ダンスやクローゼットなどの内部には、金属製パイプ材などで形成された主桿が水平方向に架設されており、該主桿に、衣服の掛けられたハンガー（以下、衣服が掛けられた状態のハンガーを衣服ハンガーという）を掛止することにより、衣服を収納することができる。
【０００３】
しかしながら、主桿に衣服ハンガーを直接掛止すると、衣服ハンガーの掛け数が制限されるという問題点がある。
具体的には、主桿に衣服ハンガーを掛止していくと、主桿の長手方向に衣服ハンガーが揃って並んだ状態となる。
衣服は、シャツ等のような薄手生地のものから、スーツ等のような厚手生地のものまで様々で、スーツ等の衣服は、その構造上、肩部が他の部分に比して厚くなっている。また、ハンガーについても様々な形状のものが知られているが、衣服の形を崩さないように肩部を厚肉化したものが多く用いられている。
このような特定の部分が他の部分に比して厚みのある衣服又はハンガーからなる衣服ハンガーを主桿に掛止した場合、衣服ハンガーを左右に詰めようとしても、隣合う衣服ハンガーの厚肉部分が接触するから、該厚肉部分よりも狭く詰めることができない。
尚、比較的厚みが均一な衣服ハンガーを掛止する場合でも、少なくともハンガーの厚み以上には詰めることができない。
従って、主桿に衣服ハンガーを直接掛止すると、衣服ハンガーの掛け数が制限されるため、洋服ダンスやクローゼットなどに多数の衣服を収納することができない。
【発明の開示】
【発明が解決しようとする課題】
【０００４】
本発明は、主桿に取り付けて使用されるハンガー掛止具であって、より多くの衣服ハンガーを掛けることが可能なハンガー掛止具及びハンガー掛止具セットを提供することを課題とする。
【課題を解決するための手段】
【０００５】
本発明は、主桿に掛止可能なフック部材であって、主桿に掛止した際にフック部材の両端側が主桿の下方側に突出するフック部材と、フック部材の一端側に設けられ且つ衣服ハンガーが掛止される第１ハンガー掛止部材と、フック部材の他端側に設けられ且つ衣服ハンガーが掛止される第２ハンガー掛止部材と、を備え、第１ハンガー掛止部材が、第２ハンガー掛止部材よりも下方位置に設けられていることを特徴とするハンガー掛止具を提供する。
【０００６】
本発明に係るハンガー掛止具は、衣服ハンガーを掛止する部材として、フック部材に設けられた第１ハンガー掛止部材と第２ハンガー掛止部材とを備え、第１ハンガー掛止部材が、第２ハンガー掛止部材よりも下方位置に設けられている。フック部材は、主桿に掛止した際にフック部材の両端側が主桿の下方側に突出するので、ハンガー掛止具を主桿に掛止すると、フック部材の一端側に設けられた第１ハンガー掛止部材と他端側に設けられた第２ハンガー掛止部材とは、主桿を挟んで前後反対側に位置し、更に、第１ハンガー掛止部材が第２ハンガー掛止部材よりも下方に位置する。
この第１ハンガー掛止部材と第２ハンガー掛止部材に、左右交互に衣服ハンガーを掛けていくと、隣合う衣服ハンガーが、前後上下に位置ずれした状態で掛止される。
従って、例えば、肩部のような特定の部位が他の部分に比べて厚みのある衣服ハンガーを、第１ハンガー掛止部材と第２ハンガー掛止部材に、左右交互に掛けることで、隣合う衣服ハンガーの厚肉部分が重ならず、隣合う衣服ハンガーを厚肉部分よりも間隔を狭めて左右に詰めることができる。
よって、本発明に係るハンガー掛止具を用いることにより、主桿に直接掛止する場合に比して、左右の衣服ハンガーの間隔を詰めることができ、洋服ダンスやクローゼットなどに衣服を多数収納することが可能となる。
【０００７】
上記のハンガー掛止具の好ましい構成として、上記フック部材を少なくとも２以上備え、第１ハンガー掛止部材及び第２ハンガー掛止部材が隣り合うフック部材に架け渡されている構成を採ることができる。
【０００８】
このようにフック部材を複数備えたハンガー掛止具は、複数のフック部材を介して主桿に安定的に掛止できる。よって、衣服ハンガーが第１ハンガー掛止部材及び／又は第２ハンガー掛止部材に偏って掛止されても、ハンガー掛止具が、傾いたり或いは外れたりすることを防止できる。また、第１ハンガー掛止部材と第２ハンガー掛止部材が複数のフック部材に架け渡されているので、ハンガー掛止具を主桿に掛止した際、フック部材を介して第１ハンガー掛止部材と第２ハンガー掛止部材を安定的に支持できる。
【０００９】
また、本発明は、上記ハンガー掛止具を少なくとも２以上備え、一方のハンガー掛止具の第１ハンガー掛止部材と他方のハンガー掛止具の第１ハンガー掛止部材とを連結する第１連結棒と、一方のハンガー掛止具の第２ハンガー掛止部材と他方のハンガー掛止具の第２ハンガー掛止部材とを連結する第２連結棒と、を備えたハンガー掛止具セットを提供する。
【００１０】
２以上のハンガー掛止具の第１ハンガー掛止部材と第２ハンガー掛止部材とを第１連結棒と第２連結棒とで連結することで、第１ハンガー掛止部材と第２ハンガー掛止部材だけでなく第１連結棒及び第２連結棒にも衣服ハンガーを掛止することができる。よって、かかるハンガー掛止具セットによれば、連結されたハンガー掛止具の間にも衣服ハンガーを掛止することができるので、より多数の衣服ハンガーを掛止することが可能となる。
【００１１】
ところで、上記第１連結棒及び第２連結棒などに衣服ハンガーを掛けると、衣服ハンガーの荷重は、ハンガー掛止具のフック部材を介して、主桿に加わることとなる。
該主桿は、その両端部がクローゼットなどの壁面などの固定側に固定されているため、主桿の両端部（固定側）に近いほど耐荷重に優れ、主桿の中央部は湾曲し易く、主桿の中央部は相対的に耐荷重に劣っている。
この点、上記ハンガー掛止具セットは、例えば、２つのハンガー掛止具を主桿の両端部（固定側）近傍位置に掛止し、且つハンガー掛止具間を第１連結棒と第２連結棒で連結することができる。
かかる状態の第１連結棒と第２連結棒などに衣服ハンガーを掛けると、衣服ハンガーの荷重は、両端側に掛止されたそれぞれのハンガー掛止具のフック部材を介して、主桿の両端部側に加わることとなる。
従って、より多くの衣服ハンガーを掛止しても、その荷重によって主桿が変形することを防ぐことができる。
【００１２】
また、前記第１連結棒及び前記第２連結棒は、それぞれ第１ハンガー掛止部材及び第２ハンガー掛止部材に対して出退可能に構成することが好ましい。
【００１３】
かかる好ましい構成とすると、主桿の長さに応じて、ハンガー掛止具セットの横幅を調整することができる。例えば、主桿が比較的短い場合には、第１連結棒及び前記第２連結棒のそれぞれを、第１ハンガー掛止部材及び第２ハンガー掛止部材側へ退かせることで、ハンガー掛止具セットを幅狭に調整できる。また、主桿が比較的長い場合には、これに合わせて第１連結棒及び前記第２連結棒のそれぞれを引き出すことで、ハンガー掛止具セットを幅広に調整できる。
【００１４】
さらに、本発明は、上記ハンガー掛止具を少なくとも２以上備え、一方のハンガー掛止具の第１ハンガー掛止部材及び第２ハンガー掛止部材から第１連結棒及び第２連結棒がそれぞれ延出され、該第１連結棒及び第２連結棒が、他方のハンガー掛止具の第１ハンガー掛止部材及び第２ハンガー掛止部材に連結されているハンガー掛止具セットを提供する。このハンガー掛止具セットは、１連結棒及び第２連結棒が他方のハンガー掛止具の第１ハンガー掛止部材及び第２ハンガー掛止部に対して出退可能に構成されていることが好ましい。
【発明の効果】
【００１５】
本発明のハンガー掛止具によれば、隣合う衣服ハンガーの間隔を詰めることができ、収納スペースを有効に利用して、衣服ハンガーを多数掛止することができる。
また、本発明のハンガー掛止具セットによれば、衣服を多数掛止できる上、このように多数の衣服ハンガーを掛けることで主桿に加わる荷重が増しても、主桿の変形などを防止することも可能である。
【発明を実施するための最良の形態】
【００１６】
以下、添付図面を参照しつつ、本発明の一実施形態に係るハンガー掛止具及びハンガー掛止具セットについて説明する。
図１に示すように、本実施形態のハンガー掛止具セット１は、洋服ダンスやクローゼットなどに水平方向に架設された細長状の主桿５０に掛止される２つのハンガー掛止具２と、それぞれのハンガー掛止具２を連結する第１連結棒３と第２連結棒４とを備えている。
【００１７】
ハンガー掛止具２が掛止される主桿５０は、従来より衣服ハンガーを掛止するために用いられている長尺状部材であって、一般に衣服ハンガーを掛ける機能を有するものであれば特に限定されず、例えば、洋服ダンス、クローゼット、ロッカー、四角枠状のパイプ組立て式ハンガー、カーテン付きパイプハンガー、押入れ収納用パイプハンガーなどに具備されたものが例示できる。
該主桿５０としては、通常、所定径（例えば１６〜３２ｍｍ程度）のステンレス製などのパイプ材などで形成されている。主桿５０の両端部は、クローゼットなどの側壁面、支柱などの固定側５１に取り付けられ、該主桿５０は、水平方向に支持されている。
【００１８】
ハンガー掛止具２は、図２にも示すように、主桿５０の長手方向に平行に配列された３つのフック部材２１と、各フック部材２１に架け渡された第１ハンガー掛止部材２２及び第２ハンガー掛止部材２３とを備えている。
【００１９】
フック部材２１は、主桿５０に掛止可能な構成とされている。本実施形態では、主桿５０に容易に掛脱可能とするために、主桿５０の円弧に適合した弧状部２１ａを有し、且つ該弧状部２１ａの両端部から下方に伸びる一対の垂下部２１ｂ，２１ｃを有する略逆Ｕ字状に加工された細長部材にて形成されている。尚、フック部材２１の弧状部２１ａは、主桿５０に適合する円弧状に形成されていることが好ましいが、該円弧状部２１ａは、主桿５０の円弧よりも大きく形成されていてもよい。
一対の垂下部２１ｂ，２１ｃは、主桿５０に掛止した際、主桿５０を挟んで前後反対側に位置するように形成されている。この一対の垂下部２１ｂ，２１ｃの前後間隔は、主桿５０に容易に挿入脱するため、主桿５０の直径と略同長又はそれ以上の長さに形成されている。尚、垂下部２１ｂ，２１ｃの前後間隔は、主桿５０の直径よりも少し短く形成されていてもよく、かかる垂下部２１ｂ，２１ｃを有するフック部材２１は、垂下部２１ｂ，２１ｃの間を主桿５０に当て、これを押し込むことにより、垂下部２１ｂ，２１ｃが弾性変形するので、フック部材２１を主桿５０に嵌め入れることができる。
【００２０】
さらに、フック部材２１の一対の垂下部２１ｂ，２１ｃは、主桿５０に掛止した際、主桿５０を中心とする位置からそれぞれ下方に突出する長さに形成されている。該一対の垂下部２１ｂ，２１ｃの長さは異なり、そのため、一方の垂下部２１ｂ（主桿５０の前側に位置する垂下部）の下端部は、他方の垂下部２１ｃ（主桿５０の後側に位置する垂下部）の下端部よりも上方に位置している。
フック部材２１は、特に限定されるものでなく、例えば、径が３〜７ｍｍ程度の金属製丸材、平板などを曲げ加工することにより形成できる。また、フック部材５０の一方の垂下部２１ｂの長さは、例えば、４５〜６５ｍｍ程度、他方の垂下部２１ｃの長さは１００〜１２０ｍｍ程度に形成できる。また、フック部材２１の弧状部２１ａの曲率半径は、フック部材２１が主桿５０に掛止可能な大きさであればよい。また、隣合う３つのフック部材２１の間隔は、特に限定されず、例えば５０〜２００ｍｍ程度とすることができる。
【００２１】
第１ハンガー掛止部材２２は、図２に示すように、細長状の中空パイプ材で形成されており、フック部材２１が主桿５０に掛止されたときに、主桿５０と平行になるように、各フック部材２１の他方の垂下部２１ｃの下端部に支持されている。一方、第２ハンガー掛止部材２３は、第１ハンガー掛止部材２２と同様に、細長状の中空パイプ材で形成されており、フック部材２１が主桿５０に掛止されたときに、主桿５０と平行になるように、各フック部材２１の一方の垂下部２１ｂの下端部に支持されている。
従って、第１ハンガー掛止部材２２は、第２ハンガー掛止部材２３の後側下方に位置して設けられている。
【００２２】
第１ハンガー掛止部材２２と第２ハンガー掛止部材２３の上下間隔Ｌ（図３参照）は、特に限定されないが、余りに短いと上下に位置ずれさせた効果を得られず、一方、余りに長いと上方に位置する第２ハンガー掛止部材２３に衣服ハンガー６を掛けた際、該衣服ハンガー６が第１掛止部材２２に干渉し、該衣服ハンガー６が傾いた状態となる。かかる点を考慮すると、第１ハンガー掛止部材２２と第２ハンガー掛止部材２３の上下間隔Ｌは、３５〜６０ｍｍ程度、特に、５０〜５５ｍｍ程度に形成されていることが好ましい。
また、第１ハンガー掛止部材２２と第２ハンガー掛止部材２３の前後間隔Ｍについても特に限定されないが、余りに短いと前後に位置ずれさせた効果を得られず、一方、余りに長いと第１掛止部材２２に掛けられる衣服ハンガー６と第２ハンガー掛止部材２３に掛けられる衣服ハンガー６が前後に離れ過ぎ、奥行きの短いクローゼットなどの場合、衣服ハンガー６が納まらない場合も考えられる。かかる点を考慮すると、第１ハンガー掛止部材２２と第２ハンガー掛止部材２３の前後間隔Ｍは、３５〜６０ｍｍ程度、特に、４０〜４５ｍｍ程度に形成されていることが好ましい。
【００２３】
尚、上記第１ハンガー掛止部材２２及び第２ハンガー掛止部材２３を形成するパイプ材としては、外径が１０ｍｍ、肉厚が１．０ｍｍ、長さが２００〜６００ｍｍ程度のパイプ材を使用することができる。
【００２４】
第１連結棒３は、第１ハンガー掛止部材２２に対して出退可能に構成され、例えば、図３に示すように、第１ハンガー掛止部材２２の内側の空間に挿入脱可能な径の細長部材で形成されている。同様に、第２連結棒４は、第２ハンガー掛止部材２３に対して出退可能に構成され、第２ハンガー掛止部材２３の内側の空間に挿入脱可能な径の細長部材で形成されている。
本実施形態では、第１連結棒３及び第２連結棒４を形成する細長部材として、例えば、径が７ｍｍ程度の細長部材を用いることができる。また、第１連結棒３及び第２連結棒４を形成する細長部材の長さは、第１ハンガー掛止部材２２及び第２ハンガー掛止部材２３よりも長く或いは短くてもよく、例えば、２００〜９００ｍｍ程度、強度の点から３００〜６００ｍｍ程度のものが好ましい。
【００２５】
ハンガー掛止具セット１を使用する際には、図４に示すように、第１連結棒３及び第２連結棒４をそれぞれ第１ハンガー掛止部材２２及び第２ハンガー掛止部材２３から引き出して、第１連結棒３及び第２連結棒４の一端部を他方のハンガー掛止具２の第１ハンガー掛止部材２２及び第２ハンガー掛止部材２３の内側の空間に挿入し、２つのハンガー掛止具２を連結する。また、ハンガー掛止具セット１を使用する必要が無くなったときは、第１連結棒３及び第２連結棒４を、それぞれ何れか一方のハンガー掛止具２の第１ハンガー掛止部材２２及び第２ハンガー掛止部材２３に収納して、ハンガー掛止部２の連結を解除して、それらを保管することができる。
【００２６】
第１連結棒３及び第２連結棒４は、第１ハンガー掛止部材２２及び第２ハンガー掛止部材２３に出退可能に構成されているので、主桿５０の長さに応じてハンガー掛止具セット１の幅を調整することができる。例えば、主桿５０の長さが比較的短い場合には、第１連結棒３及び前記第２連結棒４のそれぞれを、第１ハンガー掛止部材２２及び第２ハンガー掛止部材２３内に挿入収納することで、ハンガー掛止具セット１を幅狭に調整できる。また、主桿５０が比較的長い場合には、これに合わせて第１連結棒３及び前記第２連結棒４のそれぞれを引き出すことで、ハンガー掛止具セット１を幅広に調整できる。
【００２７】
なお、ハンガー掛止具２の構成部材であるフック部材２１、第１ハンガー掛止部材２２、第２ハンガー掛止部材２３、第１連結棒３、第２連結棒４の材質は、特に限定されず、ステンレスなどの金属製が好ましいが、比較的強度のある硬質合成樹脂、木製などであってもよい。
【００２８】
以上説明したハンガー掛止具セット１を使用する場合は、図１に示すように、２つのハンガー掛止具２を主桿５０に掛止する。ハンガー掛止具２は、好ましくは、主桿５０の端部（固定側５１）寄り位置にそれぞれ掛止する。次に、ハンガー掛止具２の第１ハンガー掛止部材２２及び第２ハンガー掛止部材２３の内側の空間に、第１連結棒３及び第２連結棒４を挿入し、２つのハンガー掛止具２を連結する。
そして、２つの第１ハンガー掛止部材２２及びこれを連結する第１連結棒３と、２つの第２ハンガー掛止部材２３及びこれを連結する第２連結棒４と、のそれぞれに衣服ハンガー６を交互に掛止して使用する。尚、図１では、衣服ハンガー６の一部を図示している。
【００２９】
上記ハンガー掛止具２は、主桿５０に掛止した際、第１ハンガー掛止部材２２と第２ハンガー掛止部材２３とは、主桿５０を挟んで前後反対側に位置し、更に、第１ハンガー掛止部材２２が第２ハンガー掛止部材２３よりも下方に位置する。
かかる第１ハンガー掛止部材２２と第２ハンガー掛止部材２３に、左右交互に衣服ハンガー６を掛けていくと、図５に示すように、隣合う衣服ハンガー６が、前後上下に位置ずれした状態で掛止される。従って、第２ハンガー掛止部材２３に掛止された衣服ハンガー６の肩部や中央の厚肉部（フック６１が取り付けられている部分）は、それぞれ第１ハンガー掛止部２２の前上方側に位置ずれするので、厚肉部分（肩部や中央の厚肉部のような特定の部位が他の部分に比べて厚い部分）を有する衣服ハンガー６を掛けても、隣合う衣服ハンガー６の厚肉部分が重ならない。
従って、隣合う衣服ハンガー６をその厚肉部分よりも間隔を狭めて左右に詰めることができる。
よって、本発明に係るハンガー掛止具２を用いることにより、主桿５０に直接掛止する場合に比して、左右の間隔を詰めて多数の衣服ハンガー６を収納することが可能となる。
【００３０】
また、ハンガー掛止具２は、フック部材２１を３つ備えているため、３箇所で主桿５０に掛止される。従って、ハンガー掛止具２は、主桿５０に安定的に掛止でき、衣服ハンガー６が第１ハンガー掛止部材２２及び／又は前記第２ハンガー掛止部材２３に偏って掛止されても、その重みでハンガー掛止具２が、傾いたり、主桿５０から外れることを防止できる。
さらに、ハンガー掛止具セット１は、第１ハンガー掛止部材２２及び第２ハンガー掛止部材２３だけでなく第１連結棒３及び第２連結棒４にも衣服ハンガー６を掛止することができる。従って、ハンガー掛止具セット１を用いることで、、主桿５０と略同長さの範囲に、より多くの衣服ハンガー６を掛止することができる。
【００３１】
さらに、ハンガー掛止具セット１は、図１に示すように、例えば２つのハンガー掛止具２を主桿５０の両端部（固定側５１）の近傍に位置させて掛止することができる。このように主桿５０に装着されたハンガー掛止具セット１の第１連結棒３などに衣服ハンガー６を掛けると、衣服ハンガー６の荷重は、ハンガー掛止具２のフック部材２１を介して、主桿の両端部側に加わることとなる。
従って、主桿５０の中央部に荷重が加わらないので、より多くの衣服ハンガー６を掛止しても、その荷重によって主桿５０が変形する（撓む）ことを防ぐことができる。
【００３２】
また、第１連結棒３及び第２連結棒４をそれぞれ第１ハンガー掛止部材２２及び第２ハンガー掛止部材２３に対して挿入脱可能であるため、ハンガー掛止具セット１を使用しないときは、第１連結棒３及び第２連結棒４をそれぞれ第１ハンガー掛止部材２２及び第２ハンガー掛止部材２３に収納しておくことができる。よって、第１連結棒３及び第２連結棒４を、ハンガー掛止具２にまとめて保管することができる。一方、使用時には、該ハンガー掛止具２から第１連結棒３及び第２連結棒４を引き出し、一端部を他方のハンガー掛止具２の第１ハンガー掛止部材２２及び第２ハンガー掛止部材２３の内側の空間に挿入するだけでハンガー掛止具セット１を組み立てることができる。
また、本発明のハンガー掛止具２は、１個単独で使用することもできる。この場合、第１ハンガー掛止部材２２及び第２ハンガー掛止部材２３に衣服ハンガー６を交互に掛けることで、衣服ハンガー６を多数収納できる。
【００３３】
尚、本発明は、上記で示した各実施形態に限定されず、適宜変更することができる。
例えば、ハンガー掛止具セット１に於いて、ハンガー掛止具２の数は、２個に限られず、主桿５０の長さなどに応じて、適宜の数とすることができる。例えば、図６に示すように、ハンガー掛止具２の数を３個とし、隣合うハンガー掛止具２が、第１連結棒３及び第２連結棒４で連結されたハンガー掛止具セット１としてもよい。尚、特に図示しないが、ハンガー掛止具２を４個以上備えたハンガー掛止具セット１も上記と同様にして使用できる。
【００３４】
また、上記実施形態では、１本の長尺状部材からなる主桿５０に本発明のハンガー掛止具セット１を掛止する場合を例示したが、図７に示すように、２本の長尺状部材５２，５３からなる伸縮可能な主桿５０に本発明のハンガー掛止具セット１を掛止することもできる。該主桿５０は、例えば、一端が固定側５１に固定された大径パイプ５２と、一端が他方の固定側５１に固定された小径パイプ５３とからなり、小径パイプ５３を大径パイプ５２内に挿入脱することにより長さを可変できるものなどが例示できる。
【００３５】
該主桿５０にハンガー掛止具セット１を掛止する場合には、主桿５０の連結部５０ａを避けるようにハンガー掛止具２を掛止することが好ましい。例えば、図示したように、主桿５０の連結部５０ａをほぼ中央にして、隣合うハンガー掛止具２を掛止する。このように主桿５０の連結部５０ａを避けるようにハンガー掛止具２を掛止することにより、第１連結棒３等に衣服ハンガー６を掛けた際、その荷重が主桿５０の連結部５０ａに加わり難くなる。主桿５０の連結部５０ａは、別部材の接合部分なので、特に耐荷重性に劣っているが、本発明のハンガー掛止具セット１によれば、伸縮式の主桿５０に対しても、主桿５０の変形を防止しつつより多くの衣服ハンガー６を掛止することが可能である。
【００３６】
さらに、上記各実施形態では、ハンガー掛止具２はフック部材２１を３つ備えているが、フック部材２１の数は特に限定されず、１つでもよく、２つ又は４つ以上であってもよい。
【００３７】
さらに、上記実施形態では、ハンガー掛止具セット１は、独立した複数のハンガー掛止具２と、隣合うハンガー掛止具２を連結する独立した第１連結棒３及び第２連結棒４と、から構成されているが、該第１連結棒３及び第２連結棒４を、少なくとも何れか一方のハンガー掛止具２に一体的に形成することもできる。
具体的には、該ハンガー掛止具セット１は、例えば、図８（ａ）に示すように、第１ハンガー掛止部材２２及び第２ハンガー掛止部材２３の端部から一体的に第１連結棒３及び第２連結棒４が延出された一方のハンガー掛止具２と、第１連結棒及び第２連結棒が挿入脱可能な第１ハンガー掛止部材２２及び第２ハンガー掛止部材２３を有する他方のハンガー掛止具と、を少なくとも備える。そして、同図（ｂ）に示すように、一方のハンガー掛止具２から延出された第１連結棒３及び第２連結棒４を、他方のハンガー掛止具２の第１ハンガー掛止部材２２及び第２ハンガー掛止部材２３（何れも中空パイプ状）にそれぞれ挿入することによってハンガー掛止具セット１が構成される。
【００３８】
かかるハンガー掛止具セット１は、第１及び第２連結棒３，４を、他方のハンガー掛止具２の第１及び第２ハンガー掛止部材２２，２３に挿入脱することで、上記実施形態と同様に、ハンガー掛止具セット１の横幅を自在に調整することができる。図８（ｃ）は、第１及び第２連結棒３，４を、他方のハンガー掛止具２の第１及び第２ハンガー掛止部材２２，２３に多く挿入して、ハンガー掛止具セット１の横幅を狭めた状態を示す。同図（ｄ）は、同ハンガー掛止具セット１の横幅を広げた状態を示す。
かかるハンガー掛止具セット１は、図９に示すように、掛止部材２１を介して主桿５０に掛止され、ハンガー掛止具２の第１及び第２掛止部材２２，２３や第１及び第２連結棒３，４に衣服ハンガー６を交互に掛止して使用される。
【図面の簡単な説明】
【００３９】
【図１】本発明の一実施形態に係るハンガー掛止具セットの一部省略正面図である。
【図２】ハンガー掛止具の斜視図である。尚、主桿を二点鎖線で示している（図４も同様）。
【図３】図１のＡ―Ａ断面図である。
【図４】ハンガー掛止具に、第１連結棒及び第２連結棒が挿入された状態を示す斜視図である。
【図５】第１ハンガー掛止部材及び第２ハンガー掛止部材に掛止されたそれぞれの衣服ハンガーの位置関係を示すための、ハンガー掛止具セットの使用時における側面参考図である。
【図６】本発明の他の実施形態に係るハンガー掛止具セットの使用例を示す一部省略正面図である。
【図７】ハンガー掛止具セットの他の使用例を示す一部省略正面図である。
【図８】（ａ）は、ハンガー掛止具セットの他の実施形態を示す分解正面図、（ｂ）は、同ハンガー掛止具セットの正面図、（ｃ）は、同ハンガー掛止具セットを縮小させた状態を示す正面図、（ｄ）は、同ハンガー掛止具セットを伸張させた状態を示す正面図。
【図９】同ハンガー掛止具セットの使用例を示す一部省略斜視図。
【符号の説明】
【００４０】
１ハンガー掛止具セット
２ハンガー掛止具
２１  フック部材
２２  第１ハンガー掛止部材
２３  第２ハンガー掛止部材
３  第１連結棒
４  第２連結棒
５０  主桿
５１  固定側
６  衣服ハンガー
【図１】
2007260376.tif 000003
【図２】
2007260376.tif 000004
【図３】
2007260376.tif 000005
【図４】
2007260376.tif 000006
【図５】
2007260376.tif 000007
【図６】
2007260376.tif 000008
【図７】
2007260376.tif 000009
【図８】
2007260376.tif 000010
【図９】
2007260376.tif 000011